(57)【特許請求の範囲】
【請求項１】
ストレスコーンを構成部材として有する、電力ケーブル端末部に取り付ける接続部本体を備え、
前記ストレスコーンは、その先端部に短冊状加工部が一体成形されており、
前記短冊状加工部は、前記電力ケーブルのケーブルシース上に当接させ、当該ケーブルシースとともに外周に押さえ巻きテープを巻き付けることで当該ケーブルシースを前記短冊状加工部と前記ケーブルシースとの間に働く摩擦力により固定してなることを特徴とする電力ケーブル用終端接続部。
【請求項２】
前記短冊状加工部は、ゴム材料からなることを特徴とする請求項１記載の電力ケーブル用終端接続部。
【請求項３】
前記短冊状加工部は、対向配置された一対の短冊円弧状の弾性片からなることを特徴とする請求項１記載の電力ケーブル用終端接続部。
【請求項４】
前記押さえ巻きテープは、それ自身が粘着性を有する、または粘着層を有することを特徴とする請求項１記載の電力ケーブル用終端接続部。
【発明の詳細な説明】
【技術分野】
【０００１】
本発明は、電力ケーブル用終端接続部に係わり、特に、電力ケーブルシースの固定力を強化した電力ケーブル用終端接続部に関するものである。
【背景技術】
【０００２】
図４は、日本電力ケーブル接続技術協会のＪＣＡＡ Ｃ ３１０１−１９９５の規格に準じた電力ケーブル用耐塩害終端接続部の一例を示すものである。図示例による電力ケーブル用終端接続部１は、接続部本体２内に電力ケーブル端末部３を挿入し、圧縮又は圧着するものである（例えば、非特許文献１参照）。
【０００３】
接続部本体２は、図４に示すように、圧縮端子２ａ、碍管２ｂ、絶縁コンパウンド２ｃ、及びストレスコーン７の４つの構成部材からなる。電力ケーブル端末部３は、ケーブルシース３ｅを剥ぎ取って導体３ａ、絶縁体３ｂ、外部半導電層３ｃ、及び銅テープ３ｄをそれぞれ露出するように順次段剥ぎされている。銅テープ３ｄには接地線４が半田付けされている。外部半導電層３ｃ側と銅テープ３ｄ側にあるストレスコーン先端部７ｃからケーブルシース３ｅの外周にはその外周に跨って、押さえ巻きテープ５が巻き付けられており、ケーブル長手方向へのケーブルシース３ｅのずれが防止されている。接続部本体２の外周には、図示しない支持物に固定するためのブラケット６が装着されている。
【０００４】
ケーブルのケーブルシースのずれを防止する技術は、従来から様々な提案がなされてきた。その技術の一例としては、例えばケーブル用終端接続部にケーブルシースずれ防止部材を装着した構造がある（例えば、特許文献１参照）。
【０００５】
この特許文献１に記載された従来のケーブルシースずれ防止構造は、接続部本体のストレスコーン（端部ゴムブッシュ）端部からケーブルシース（ケーブル防食層）にかけて、押さえ巻き用テープが巻き付けられている。ケーブルシースの外周には、そのシース端部自身のケーブル長手方向への収縮によるケーブルシースのずれを防止するために１本の鋼線等の線材が螺旋状に巻き付けられている。その線材の一端は、接続部本体２の外周に装着されたブラケット（ケーブルクランプ）に引っ掛けられている。
【先行技術文献】
【非特許文献】
【０００６】
【非特許文献１】６６００Ｖ架橋ポリエチレン絶縁電力ケーブル用耐塩害終端接続部規格、ＪＣＡＡ Ｃ ３１０１−１９９５
【特許文献】
【０００７】
【特許文献１】特開平１０−９４１３２号公報
【発明の概要】
【発明が解決しようとする課題】
【０００８】
しかしながら、上記非特許文献１に記載された従来のケーブル用終端接続部は、テープの巻き付けた締め付け力によりストレスコーン先端部にケーブルシースを拘束しているが、巻き付けられたテープは、経時変化による劣化や温度変化等によりケーブルシースを拘束する力が小さくなる場合がある。またケーブルシースには製造時に生じる残留応力の存在により収縮を生じる場合がある。そのような結果、接続部本体とケーブルシースとを施工時に設定した位置に抑えることができずに押さえ巻きテープからケーブルシースのずれが生じ易くなる。
【０００９】
一方、上記特許文献１に記載された従来のケーブル用終端接続部は、テープの巻き付けた締め付け力によりストレスコーン先端部にケーブルシースを拘束することに加えて、１本の線材の締め付け力により接続部本体のブラケットにケーブルシースを拘束している。しかしながら、この従来のケーブル用終端接続部にあっても、経時的に、テープ及び線材の締め付け力が低下し、ケーブルシースのずれが生じ易くなるという問題がある。
【００１０】
本発明の目的は、接続部本体からケーブルシースのずれを防止できる電力ケーブル用終端接続部を提供することにある。
【課題を解決するための手段】
【００１１】
本発明は、上記目的を達成するため、ストレスコーンを構成部材として有する、電力ケーブル端末部に取り付ける接続部本体を備え、前記ストレスコーンは、その先端部に短冊状加工部が一体成形されており、前記短冊状加工部は、前記電力ケーブルのケーブルシース上に当接させ、当該ケーブルシースとともに外周に押さえ巻きテープを巻き付けることで当該ケーブルシースを前記短冊状加工部と前記ケーブルシースとの間に働く摩擦力により固定してなることを特徴とする電力ケーブル用終端接続部にある。
【００１２】
また、本発明においては、前記短冊状加工部は、ゴム材料からなることが好適であり、また、対向配置された一対の短冊円弧状の弾性片からなることが好適である。
【００１３】
更に、本発明においては、前記押さえ巻きテープは、それ自身が粘着性を有する、または粘着層を有するものであることが好適である。
【発明の効果】
【００１５】
本発明によれば、接続部本体の短冊状加工部の摩擦力によりケーブルシースを強固に保持することができるようになり、長期の使用においても接続部本体からケーブルシースのずれを防止することができる。
【図面の簡単な説明】
【００１６】
【図１】本発明に係る典型的な実施の形態である電力ケーブル用終端接続部の一構成例を概略的に示す部分断面図である。
【図２】本発明に係る電力ケーブル用終端接続部の一部を示す断面拡大図である。
【図３】本発明に係る電力ケーブル用終端接続部の一構成部材のストレスコーンを概略的に示す概略図である。
【図４】従来の電力ケーブル用終端接続部の構造を概略的に示す部分断面図である。
【発明を実施するための形態】
【００１７】
以下、本発明の好適な実施の形態を添付図面に基づいて具体的に説明する。
【００１８】
図１において、全体を示す符号１は、電力ケーブル用終端接続部の典型的な一例を模式的に示している。この終端接続部１は、例えば塩害地域で使用されるものであり、接続部本体２内に、段剥ぎした電力ケーブル端末部３を嵌め込んで固定している。
【００１９】
図示例による接続部本体２の基本構成は、図４に示した従来の電力ケーブル用終端接続部と同様に、圧縮端子２ａ、碍管２ｂ、絶縁コンパウンド２ｃ、及びストレスコーン７の４つの構成部材からなる。電力ケーブル用終端接続部１のうち、主要な一構成部材となるストレスコーン７を除いて、図４に示した従来の接続部本体、及びケーブルと実質的に同じ部材を使用している。従って、図４による従来の接続部本体、及びケーブルと実質的に同じ部材には同一の部材名と符号を付している。
【００２０】
碍管２ｂ先端部に取り付けられた圧縮端子２ａ基端部内には、図１に示すように、電力ケーブル端末部３の導体３ａが圧縮又は圧着されており、圧縮端子２ａと電力ケーブル端末部３とが接続される。碍管２ｂは磁器製、ポリマー製などの絶縁性を有する材料からなる。碍管２ｂ基端部内には円筒状のストレスコーン７基端部が挿着固定されており、ストレスコーン７基端部の外周にはブラケット６が固定されている。碍管２ｂ内には絶縁コンパウンド２ｃが充填されている。
【００２１】
ストレスコーン７としては、絶縁体３ｂと密着させるため、例えば引張強さ、伸び率の大きな材料であるエチレンプロピレンゴム、シリコーンゴム等のゴム材料により構成することが好適である。
【００２２】
ストレスコーン先端部７ｃには、図１及び図２に示すように、ゴム材料を短冊状に成形加工して得られる短冊状加工部７ａが形成されている。この短冊状加工部７ａは、ストレスコーン先端部７ｃから延設された短冊円弧状をなす対向配置する一対の弾性片からなり、ケーブルシース３ｅとの間に付与される摩擦力をもってケーブルシース３ｅを引き留め、接続部本体２からケーブルシース３ｅがずれるのを防止する機能を有している。
【００２３】
ストレスコーン７の表面は、図３に示すように、外方へ凹凸状に膨出しており、その中心に電力ケーブル端末部３を挿入する円形の挿入孔７ｂが形成されている。ストレスコーン先端部７ｃは円筒形状であり、その外周面はテープ巻付面になる。図３では、ストレスコーン先端部７ｃの周壁から等間隔に延設された一対の短冊状加工部７ａ，７ａが一体に連結されている。この短冊状加工部７ａは、ストレスコーン先端部７ｃを短冊円弧状になるように成形加工することで１つの部材からなるものを形成できる。その加工方法は、ストレスコーン７の形状と短冊状加工部７ａの形状とからなる一体の金型を用いて形成される。また、ストレスコーン先端部７ｃの円筒形状を切欠スリットして短冊円弧状に成形したものでもよい。更に、短冊状加工部７ａは、ストレスコーン７のゴム材料と同じ材料、もしくは異なる材料の短冊状部材により所望する形状となるよう一体の金型を用いてストレスコーン７と一体成型による成形加工でもよい。短冊状加工部７ａは、図示例に限定されるものではなく、例えば１枚、あるいは３枚以上の設置数であってもよい。
【００２４】
ケーブルシース３ｅは、短冊状加工部７ａが配設されたケーブルシース３ｅの外周に押さえ巻き用テープ５を巻き付けることで、短冊状加工部７ａとの摩擦力により固定される。これにより、強固なケーブル保持機能を発揮することができる。短冊状加工部７ａとしては、ケーブルシース３ｅと密着し易い材料が好ましく、その材質としては、例えばエチレンプロピレンゴム、シリコーンゴム等のゴム材料を使用することが好適である。また、短冊状加工部７ａの他の一例としては、例えば上記ゴム材料内に埋め込まれた麻布や綿布等からなるものを使用すれば、よりケーブル引留部材としての効果を発揮することができる。
【００２５】
押さえ巻きテープ５には、ケーブルシース３ｅとの粘着性の良い材料が使用される。そのテープ５の材質としては、例えばそれ自身が粘着性を有する、または粘着層を有するポリエチレンテープ、エチレンプロピレンゴムテープ、あるいはクロロプレンゴムテープ等が好ましい。押さえ巻きテープ５を巻き付ける際は、短冊状加工部７ａとケーブルシース３ｅの摩擦力が十分に働くようにテープ５を引っ張り、テープ５に張力が加わるように巻き付けることが好ましい。
【００２６】
電力ケーブル用終端接続部１に電力ケーブル端末部３を挿着して取り付けるには、先ず、ケーブル３のケーブルシース３ｅを剥ぎ取って導体３ａ、絶縁体３ｂ、外部半導電層３ｃ、及び銅テープ３ｄがそれぞれ露出するように順次段剥ぎする。次に、銅テープ３ｄに接地線４を半田付することにより電力ケーブル端末部３を形成する。そして、電力ケーブル用終端接続部１の接続部本体２を構成するストレスコーン挿入孔７ｂに段剥ぎした電力ケーブル端末部３を挿入する。次に、接続部本体２を構成する碍管２ｂ基端部内にストレスコーン７基端部を挿着固定するとともに、碍管２ｂ内に絶縁コンパンド２ｃを充填する。更に、外部半導電層３ｃ側と銅テープ３ｄ側に位置する外周面がテープ巻付面であるストレスコーン先端部７ｃ、ストレスコーン７と一体成形した一対の短冊状の短冊状加工部７ａ、及びケーブルシース３ｅのそれらの外周に跨って、押さえ巻きテープ５を引張り、張力を加えながら、短冊状加工部７ａとケーブルシース３ｅに摩擦力が十分に働くように複数回巻き付ける。次に、碍管２ｂ基端部をブラケット６に取り付ける。このような作業を行うことで、電力ケーブル用終端接続部１と電力ケーブル端末部３との取り付け作業が終了する。
【００２７】
以下に、上記実施の形態における電力ケーブル用終端接続部１の有効性について更に説明する。
【００２８】
ケーブルシース３ｅに外径約φ３０ｍｍのケーブルを使用し、図１に示す電力ケーブル用終端接続部１を有するケーブル（以下、「実施品」という。）と、図４に示す従来の電力ケーブル用終端接続部１を有するケーブル（以下、「従来品」という。）とを用いて、次のような評価試験を実施した。その評価試験の際に、実施品であるストレスコーン７と同じ材料で円筒形状を切欠スリットして短冊円弧状に成形加工し、ストレスコーン７と一体成形した一対の短冊状加工部７ａとして、幅４５ｍｍ、長さ２０ｍｍのエチレンプロピレンゴムにより成形したものを使用した。なお、従来品は実施品と同じ材料、同寸法のものであり、短冊状加工部７ａが形成されていないものである。
【００２９】
評価試験の条件は、実施品と従来品のそれぞれの一端に、重さが９８Ｎである錘をぶら下げて、吊り下げたケーブルの状態を確認した。屋外使用を想定して−１５°Ｃ〜７０°Ｃ程度の気温条件の下で、上下温度ごとに各２時間ずつとし、これを１サイクルとして３０サイクル繰り返し、吊り下げたケーブルの状態を確認した。従来品は１サイクル目でケーブルが落下した。実施品では、ケーブルは３０サイクル行なっても落下せずに安定していた。
【００３０】
（実施の形態の効果）
以上の構成からなる電力ケーブル用終端接続部１によると、次の効果が得られる。
（１）従来品においては、押さえ巻きテープ５などの巻き付け力によりストレスコーン先端部７ｃにケーブルシース３ｅを拘束していたが、ケーブルシース３ｅを拘束する力が小さいため、ケーブル長手方向へのケーブルシース３ｅの収縮によるずれが生じ易かった。これに対し、実施品においては、接続部本体２を構成する短冊状加工部７ａを、押さえ巻きテープ５でケーブルシース３ｅに巻き付けて拘束することにより、短冊状加工部７ａとケーブルシース３ｅとの間で摩擦力が働き、この摩擦力によって接続部本体２からケーブル防食層３ｅのずれを防止することができる。
（２）短冊状加工部７ａとケーブルシース３ｅとの組合せ構造、およびストレスコーン先端部７ｃ、一対の短冊状の短冊状加工部７ａ、ケーブルシース３ｅの組合せ構造とする２つの構造に対して押さえ巻きテープ５を巻き付け拘束することにより、短冊状加工部７ａとケーブルシース３ｅとの間の摩擦力を更に増加することができ、接続部本体２からケーブル防食層３ｅのずれを防止することができる。
（３）ストレスコーン先端部７ｃと短冊状加工部７ａとがケーブルシース３ｅと当接する接触面積を増やしてケーブルシース３ｅとの間での摩擦力を高められことから、接続部本体２からケーブル防食層３ｅのずれを防止することができる。
（４）以上より、径時変化による劣化や温度変化等に耐えて長期使用においても十分なケーブル線路の健全性、及び接続部の機械的保持強度を向上させた電力ケーブル用終端接続部１を得ることができる。
【００３１】
なお、本発明は、上記実施の形態、及び図示例に限定されるものではなく、それらの実施の形態、及び図示例から当業者が容易に変更可能な技術的範囲をも当然に包含するものである。
【符号の説明】
【００３２】
１              電力ケーブル用終端接続部
２              接続部本体
２ａ            圧縮端子
２ｂ            碍管
２ｃ            絶縁コンパウンド
３              電力ケーブル端末部
３ａ            導体
３ｂ            絶縁体
３ｃ            外部半導電層
３ｄ            銅テープ
３ｅ            ケーブルシース
４              接地線
５              押さえ巻きテープ
６              ブラケット
７              ストレスコーン
７ａ            短冊状加工部
７ｂ            ストレスコーン挿入孔
７ｃ            ストレスコーン先端部
【図１】
0005410914.tif 000002
【図２】
0005410914.tif 000003
【図３】
0005410914.tif 000004
【図４】
0005410914.tif 000005